(57)【要約】      （修正有）【課題】各種形状や寸法の便座蓋に使用することができるとともに、便座蓋に対する装着が容易な便座蓋カバーを提供する。【解決手段】便座蓋の表面を覆う平面状のカバー主体１の前端部に、便座蓋の前端部を挿入するポケット２を設ける。カバー主体１の後半部裏面には、便座蓋の表面に密着する密着性部材３を配置し、カバー主体１の後端部左右側縁部分に便座蓋の側縁に係止させる係止手段を設ける。カバー主体１のポケット２に便座蓋の前端部を挿入し、カバー主体１を便座蓋の表面に置くことによって位置が安定し、その状態で係止手段によって、便座蓋カバーのカバー主体１を便座蓋に固定する。【選択図】図１
0003144564.tif 000002
【実用新案登録請求の範囲】
【請求項１】
便座蓋の表面を覆う平面状のカバー主体の前端部に、便座蓋の前端部を挿入するポケットを設けるとともに、カバー主体の後半部裏面に便座蓋の表面に密着する密着性部材を配置し、カバー主体の後端部左右側縁部分に該部分を便座蓋の側縁に係止させるための係止手段を設けたことを特徴とする便座蓋カバー。
【請求項２】
カバー主体の後半部裏面に配置する密着性部材は、カバー主体の後端から５cm程度離れた位置よりも前方の範囲に配置し、カバー主体の後端部に自由に捲れ返る非密着領域を設けたことを特徴とした請求項１記載の便座蓋カバー。
【請求項３】
カバー主体の後端部左右側縁部分に配置する係止手段は、ゴム紐の先端に係止具を備え、ゴム紐の基端をカバー主体の側縁よりも内方に固定し、かつカバー主体の側縁部に形成した挿通孔を通過させることによってカバー主体の外周縁から係止具を出没可能としたことを特徴とする請求項１又は２記載の便座蓋カバー。
【考案の詳細な説明】
【技術分野】
【０００１】
本考案は、便座蓋に対して容易に取り付けることができるとともに、各種サイズの便座蓋に取り付けることができる便座蓋カバーに関する考案である。
【背景技術】
【０００２】
便器には、自動的に便座蓋が開閉する電動式のものがある。また、便器の大きさも様々であって、必然的に便座蓋にも大きさの異なるものが存在する。
従来の便座カバーには、特許文献１〜３に開示されるように、便座蓋の表面を覆うカバー主体の周縁を便座蓋の裏面に回り込ませ、カバー主体の周縁を便座蓋の裏面に回り込ませた状態で、カバー主体を種々の方法で係止させることによって便座蓋カバーを便座蓋に装着するのが一般的であった。また、特許文献４には、便座蓋カバーを袋状とし、便座蓋の表裏両面を装飾性に優れたものとすることが提案されている。
【特許文献１】実開平７−２０９９４号公報
【特許文献２】実開平７−３４７９９号公報
【特許文献３】特開平９−１８７４００号公報
【特許文献４】特開２００４−１３００４８号公報
【考案の開示】
【考案が解決しようとする課題】
【０００３】
従来の、特許文献１〜３に開示される便座蓋カバーは、カバー主体の周縁を便座蓋の裏面に回り込ませるようにセットした上で固定するため、装着が面倒であるとともに、形状や大きさが異なる便座蓋には装着が困難であるという欠点があった。また、従来の便座蓋カバーはカバー主体を便座蓋の裏面にも回り込ませるもの(特許文献１〜３)、あるいは表生地と裏生地で袋状に形成するものであるため、全体として重いものとなってしまう。
最新の電動式便器には、便座蓋がモータによって自動的に開閉するものがあり、このようなものでは、便座蓋カバーを装着した状態の便座蓋全体の重量が重くなってしまい、便座蓋を開閉するモータのトルク不足によって、便座蓋が持ち上がらないという事態が発生していた。
【０００４】
上記、従来技術の欠点に鑑み、本考案は、各種形状や寸法の便座蓋に使用することができるとともに便座蓋に対する装着が容易であり、装着した便座蓋カバーが安定し、かつ便座蓋がモータで開閉する電動式の便器にも使用することができるように、全体の重量を軽く仕上げることができる便座蓋カバーを提供することを目的とするものである。
【課題を解決するための手段】
【０００５】
請求項１記載の、考案は便座蓋７の表面を覆う平面状のカバー主体１の前端部に、便座蓋７の前端部を挿入するポケット２を設けるとともに、カバー主体１の後半部裏面に便座蓋７の表面に密着する密着性部材3を配置する。そして、カバー主体１の後端部左右側縁部分に、カバー主体１の後端部側縁部分を便座蓋７の側縁に係止させる係止手段を設けるものである。
【０００６】
請求項２記載の考案は、カバー主体１の後半部裏面に配置する密着性部材３の配置位置に関し、密着性部材３をカバー主体１の後端から５cm程度前方に離れた位置よりも前方の範囲に配置することである。これにより、カバー主体１の後端部に自由に捲れ返る非密着領域Ａが形成される。
【０００７】
請求項３記載の発明は、カバー主体１後端部の左右側縁部分に配置する係止手段に関し、係止手段はゴム紐４の先端に係止具５を備え、ゴム紐５の基端をカバー主体１の側縁よりも内方に固定し、かつゴム紐４をカバー主体１の側縁部に形成した挿通孔６を通過させることによってカバー主体１の外周縁から係止具５を出没可能とすることである。すなわち、側縁から引き出されるゴム紐の長さを変更可能とし厚みの異なる便座蓋の側縁に係止具５を係止できるようにすることである。
【考案の効果】
【０００８】
請求項１記載の考案によれば、カバー主体１の前端部に形成したポケット２に便座蓋７の前端部を挿入し、カバー主体１を便座蓋７の上面に置くことによって、カバー主体１の後半部裏面に配置した密着性部材３が便座蓋７の定位置に密着する。この状態で、カバー主体１の左右側縁部分に配置した係止手段を便座蓋７の側縁に係止させるという、簡単な操作によって便座蓋カバーを便座蓋７に装着することができる。このとき、カバー主体１の後端部と便座蓋の後端との寸法変化を許容することによって、各種サイズの便座蓋に装着することができる。
【０００９】
さらに、本考案に係る便座蓋カバーは、便座蓋７の表面を覆う平面状であって、従来の便座蓋カバーのように便座蓋７の裏面に回り込ませるものでないため、全体として軽量な製品とすることができるため、電動式便器の便座蓋にも使用することができる効果がある。
【００１０】
請求項２記載の考案によれば、便座蓋カバーの後端部の一定寸法の範囲が非密着領域Ａであり、便座蓋７の表面に密着しないフリーの状態であるため、便座蓋を起こしたときに便座蓋カバーの一部が、便器の後部に位置する部材に衝突するほか、回動によって便座蓋後方の何らかの部材との間に、便座蓋カバーの一部が噛み込んで、便座蓋７が開かなくなるような事態を回避することができる。
【００１１】
請求項３記載の考案によれば、便座蓋カバーの後部側面の厚み寸法が異なる便座蓋に支障なく装着することができるとともに、係止を外した状態でゴム紐４や係止具５がカバー主体１の内方に引き込まれ、左右側縁部分から見苦しく垂れ下がるのを防止することができる。
【考案を実施するための最良の形態】
【００１２】
以下、本考案に係る便座蓋カバーの実施形態を添付の図面に基づいて説明する。
図１は本考案に係る便座蓋カバーの裏面図、図２は図１の中央縦断面図、図３は図１のIII−III線断面図、図４は図１のIV−IV線断面図、図５は使用状態を示す側面図である。
【００１３】
本考案に係る便座蓋カバーのカバー主体１は、便座蓋７の表面を覆うように、前端部を丸く形成した平面状とし、裏面の前端部には前方の円弧部分に割円状のポケット布を縫着することによって後方に開口したポケット２を配置している。このポケット２は、図５に示すように便座蓋７の前端部のみを挿入することができる大きさである。カバー主体１は、装飾性を有する起毛素材などを使用するが、ポケット２を形成するポケット生地は、なるべく軽量となるように薄手の綿布などを使用する。
【００１４】
カバー主体１の後半部裏面には、便座蓋７の表面に密着する密着性部材３を配置している。この密着性部材３は、例えば公知のアクリル樹脂製の吸着素材を利用することができる。アクリル樹脂製の吸着素材を使用すると、強く密着し極めて安定良く配置することができる。しかしながら、必ずしもアクリル樹脂素材に限定されるものではなく、ウレタン樹脂、合成ゴム素材など便座蓋の表面に密着し容易に滑りを生じない素材であればよい。ただし、なるべく薄く軽量であるのが好ましい。
【００１５】
密着性部材３を配置する範囲は、図１に示すようにカバー主体１の後端から一定寸法、例えば５cm程度間隔をあけて非密着領域Ａを設け、これよりも前方のカバー主体１の裏面後半部に密着性部材を配置する。図示実施形態では、密着性素材を横幅方向に連続する帯状に配置しているが、例えばスポット状(円形など) に多数の密着性素材を、比較的蜜に配置するものであってもよい。
【００１６】
カバー主体１の後端部左右側縁部分に便座蓋７の側縁に係止させる係止手段を設ける。係止手段は、便座蓋カバーのカバー主体１の側縁部分を便座蓋７の側縁部分に係止することができるものであれば、例えば先端に係止具を備えた紐やゴム紐を、カバー主体１の側縁部分に固定して形成することができる。
【００１７】
図示実施形態においては、図１及び図３に示すように、比較的長寸法のゴム紐４の先端に係止具５(フック)を備え、ゴム紐４の基端をカバー主体１の側縁よりも内方に固定し、かつカバー主体１の側縁部に形成した挿通孔６を通過させることによって、図１において二点鎖線で示すように、カバー主体１の外周縁から係止具５を出没可能としている。ゴム紐４の基端を固定する位置は、カバー主体１の裏面であって、カバー主体１の後端と密着性部材３の間の領域である。またゴム紐４の長さは、ゴム紐４が縮んだ状態で先端に備えた係止具が、カバー主体１の側縁部に位置する程度の長さとしておく。
【００１８】
カバー主体１は、その全周に縁テープ８を縫着する。縁テープ８を全周に縫着するに際し、後端縁の縁テープ８を縫着した後、左右側縁と前縁を一本の縁テープ８で連続的に縫着する。この際、図４に二点鎖線で示すように、縁テープ８の両端をカバー主体１の後方に延長しておき、折り返して重ね合わせて複数位置を縫着する。これにより、前記ゴム紐４を通過させる挿通孔６を簡単に形成することができる。
【００１９】
以上述べた便座蓋カバーを便座蓋に装着するには、図５に示すように便座蓋７の前端部をカバー主体１の前端部に形成したポケット２に挿入した状態で、カバー主体１を便座蓋７の上に配置する。すると、便座蓋の後部においてカバー主体１の裏面に設けた密着性部材３が便座蓋の表面に密着し安定した状態に配置される。この状態で、フック形状である係止具５を引き出し、係止具５を便座蓋７の側縁下端に係止することによって装着が完了する。係止具５はゴム紐の先端に取り付けられているため、自由に引き出すことが可能で、種々大きさ、寸法の違う便座(便座蓋)に対して装着が可能である。
【００２０】
このようにして装着された便座蓋カバーは、その後端部に非密着領域が存在し、この部分のみが便座蓋表面に密着しないで自由な状態である。そのため、便座蓋を上げたとき(開けたとき)に、便座蓋の回動支点の後方に何らかの装置、部材が配置されている便器であっても、図５に点線で示すように、便座蓋カバーの後端部が噛み込むようなことなく使用することができる。
【図面の簡単な説明】
【００２１】
【図１】図１は、本考案に係る便座蓋カバーの裏面図、
【図２】図２は、図１の中央縦断面図、
【図３】図３は、図１のIII−III線断面図、
【図４】図４は、図１のIV−IV線断面図、
【図５】図５は、使用状態を示す側面図である。
【符号の説明】
【００２２】
１…カバー主体、  ２…ポケット、  ３…密着性部材、  ４…ゴム紐、  ５…係止具、  ６…挿通孔、  ７…便座蓋、  ８…縁テープ、  Ａ…非密着領域。
【図１】
0003144564.tif 000003
【図２】
0003144564.tif 000004
【図３】
0003144564.tif 000005
【図４】
0003144564.tif 000006
【図５】
0003144564.tif 000007